(57)【要約】      （修正有）【課題】支柱に架設されたケーブルの余長部分の外的要因による劣化を防止し、昆虫等の営巣を防止することが可能なスパイラルスリーブを提供する。【解決手段】ケーブルを保護するためにケーブルの外周面に螺旋状に巻回されるスパイラルスリーブ１０は、ケーブルの外周面に対向しない側の表面１１と、ケーブルの外周面に対向する側の裏面１２と、の間に穿設される複数の通気孔１３を備える。【選択図】図１
2019216541.tif 000002
【特許請求の範囲】
【請求項１】
ケーブルを保護するために前記ケーブルの外周面に螺旋状に巻回されるスパイラルスリーブであって、
前記ケーブルの外周面に対向しない側の表面と、前記ケーブルの外周面に対向する側の裏面と、の間に穿設される複数の通気孔
を備えたことを特徴とするスパイラルスリーブ。
【請求項２】
前記複数の通気孔は、メッシュ形状を呈する
ことを特徴とする請求項１に記載のスパイラルスリーブ。
【請求項３】
前記複数の通気孔は、スパイラルスリーブの長手方向において、一定の間隔を介して穿設される
ことを特徴とする請求項１に記載のスパイラルスリーブ。
【請求項４】
透過性を有するプラスチックを用いて形成される
ことを特徴とする請求項１〜請求項３の何れか一項に記載のスパイラルスリーブ。
【請求項５】
前記プラスチックは、所定波長以下の紫外線が通らないように紫外線吸収剤が添加されている
ことを特徴とする請求項４に記載のスパイラルスリーブ。
【請求項６】
前記プラスチックは、アクリル樹脂であり、
前記紫外線吸収剤は、ベンドトリアゾール系の吸収剤である
ことを特徴とする請求項５に記載のスパイラルスリーブ。
【請求項７】
前記ケーブルの余長部分であって環形に束ねた部分に巻回される
ことを特徴とする請求項１〜請求項６の何れか一項に記載のスパイラルスリーブ。
【発明の詳細な説明】
【技術分野】
【０００１】
本発明は、スパイラルスリーブに関する。
【背景技術】
【０００２】
例えば、支柱に架設された配電線や通信線等のケーブルを保護するために、ケーブルの外周面に対して螺旋状に巻回されるスパイラルスリーブが知られている（例えば特許文献１を参照）。
【先行技術文献】
【特許文献】
【０００３】
【特許文献１】実開平１−１８０１２５号公報
【発明の概要】
【発明が解決しようとする課題】
【０００４】
例えば、支柱に架設されたケーブルの余長部分は、環形に束ねられた後にスパイラルスリーブが巻回されることによって外的要因（風雨や紫外線等）に基づく劣化から保護されている。
【０００５】
しかし、ケーブルのうちスパイラルスリーブが巻回される部分は通気性や透過性が乏しいため、昆虫等が営巣してしまい、送電障害や通信障害を引き起こす虞があった。
【０００６】
そこで、本発明は、昆虫等の営巣を防止することが可能なスパイラルスリーブを提供することを目的とする。
【課題を解決するための手段】
【０００７】
前述した課題を解決する主たる本発明は、ケーブルを保護するために前記ケーブルの外周面に螺旋状に巻回されるスパイラルスリーブであって、前記ケーブルの外周面に対向しない側の表面と、前記ケーブルの外周面に対向する側の裏面と、の間に穿設される複数の通気孔を備える。
【０００８】
本発明の他の特徴については、添付図面及び本明細書の記載により明らかとなる。
【発明の効果】
【０００９】
本発明によれば、昆虫等の営巣を防止するスパイラルスリーブを提供することが可能となる。
【図面の簡単な説明】
【００１０】
【図１】本実施形態に係るスパイラルスリーブの一例を示す斜視図である。
【図２】本実施形態に係るスパイラルスリーブの他の例を示す斜視図である。
【図３】本実施形態に係るスパイラルスリーブの設置例を示す斜視図である。
【発明を実施するための形態】
【００１１】
本明細書および添付図面の記載により、少なくとも以下の事項が明らかとなる。尚、本実施形態に係るスパイラルスリーブは、支柱に架設されたケーブル（配電線や通信線）の余長部分の外周面を覆うように巻回されることとする。
【００１２】
＝＝＝スパイラルスリーブ＝＝＝
図１は、本実施形態に係るスパイラルスリーブの一例を示す斜視図である。図２は、本実施形態に係るスパイラルスリーブの他の例を示す斜視図である。
【００１３】
スパイラルスリーブ１０は、支柱に架設されたケーブルを外的要因（風雨や紫外線等）から保護するために、ケーブルの外周面に螺旋状に巻回される部材である。スパイラルスリーブ１０は、長尺の平板部材を螺旋状にねじった状態を維持し、螺旋がなくなる方向にねじった後に開放すると元の状態に復帰する弾性力を有している。
【００１４】
スパイラルスリーブ１０をケーブルの外周面に巻回した際に、スパイラルスリーブ１０とケーブルの外周面との間の通気性を確保するために、スパイラルスリーブ１０には、ケーブルの外周面に対向しない側の表面１１と、ケーブルの外周面に対向する側の裏面１２と、の間を貫通する複数の通気孔１３（１４）が穿設されている。
【００１５】
複数の通気孔１３は、例えば、図１に示すようなメッシュを形成する小孔とすることができる。スパイラルスリーブ１０は、螺旋がなくなる方向にねじると、長尺の平板部材となる。複数の通気孔１３は、スパイラルスリーブ１０を平板部材としたときに、平板部材の面上において交差する２つの方向に沿って隣り合うように連続的に設けられる孔である。複数の通気孔１３は、スパイラルスリーブ１０を平板部材としたときに、例えば、平面部材の長手方向に沿って隣り合うように連続的に設けられるとともに、平面部材の長手方向とは直交する方向に沿って隣り合うように連続的に設けられる孔である。複数の通気孔１３のそれぞれの形状は、多角形、楕円形、円形等の何れであってもよい。
【００１６】
又、複数の通気孔１４は、例えば、図２に示すような大孔とすることもできる。複数の通気孔１４は、スパイラルスリーブ１０を平板部材としたときに、例えば、平面部材の長手方向に沿って一定の間隔を介して設けられる孔である。複数の通気孔１４のそれぞれの形状は、多角形、楕円形、円形等の何れであってもよい。
【００１７】
スパイラルスリーブ１０は、透過性を有するプラスチック（例えばアクリル樹脂）を材料として形成され、プラスチックには、所定波長以下の紫外線が通らないように紫外線吸収剤（例えばベンドトリアゾール系の吸収剤）が添加されている。
【００１８】
＝＝＝スパイラルスリーブの設置例＝＝＝
図３は、本実施形態に係るスパイラルスリーブの設置例を示す斜視図である。
【００１９】
支柱１０１には自在バンド１０２が巻回され、自在バンド１０２には丸シンブル１０３が取り付けられ、丸シンブル１０３には巻付グリップ１０４が巻回され、巻付グリップ１０４にはケーブル１０５が結合されている。一方、支柱１０１における自在バンド１０２の下側には自在バンド１０６が巻回され、自在バンド１０６には丸シンブル１０７が取り付けられ、丸シンブル１０７には巻付グリップ１０８が巻回され、巻付グリップ１０８にはケーブル１０９が結合されている。ケーブル１０５，１０９は、例えば配電線や通信線であって、互いに接続するために支柱１０１に架設されている。ケーブル１０５，１０９の余長部分は、まとめて環形に束ねられた後に、縛り紐１１０によって例えば巻付グリップ１０９に縛り付けられている。そして、ケーブル１０５，１０９の余長部分を外的要因から保護するために、ケーブル１０５，１０９の環形に束ねられた部分に通気性及び透過性を兼ね備えたスパイラルスリーブ１０が巻回されている。
【００２０】
＝＝＝まとめ＝＝＝
以上説明したように、本実施形態に係るスパイラルスリーブ１０は、ケーブルを保護するためにケーブルの外周面に螺旋状に巻回される部材であって、ケーブルの外周面に対向しない側の表面１１と、ケーブルの外周面に対向する側の裏面１２と、の間に穿設される複数の通気孔１３（１４）を備えている。そして、本実施形態によれば、ケーブルのスパイラルスリーブ１０が巻回される部分の通気性を確保できるため、昆虫等の営巣を防止することが可能となる。
【００２１】
又、本実施形態において、昆虫等の営巣を効果的に防止するために、複数の通気孔１３は、メッシュ形状を呈し、複数の通気孔１４は、スパイラルスリーブ１０の長手方向において、一定の間隔を介して穿設されている。
【００２２】
又、本実施形態において、スパイラルスリーブ１０は、透過性を有するプラスチックを材料として形成されている。そして、本実施形態によれば、ケーブルのスパイラルスリーブ１０が巻回される部分の透過性を確保できるため、昆虫等の営巣を防止することが可能となる。尚、スパイラルスリーブ１０は、全体的に透過性を有していてもよいし、部分的に透過性を有していてもよい。
【００２３】
又、本実施形態において、ケーブルの劣化を効果的に防止するために、プラスチックには、所定波長以下の紫外線が通らないように紫外線吸収剤が添加されている。例えば、プラスチックをアクリル樹脂とし、紫外線吸収剤をベンドトリアゾール系の吸収剤とすることができる。
【００２４】
又、本実施形態において、スパイラルスリーブ１０は、ケーブルの余長部分であって環形に束ねた部分に巻回される。
【００２５】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００２６】
１０  スパイラルスリーブ
１１  表面
１２  裏面
１３，１４  複数の通気孔
１０１  支柱
１０２，１０６  自在バンド
１０３，１０７  丸シンブル
１０４，１０８  巻付グリップ
１０５，１０９  ケーブル
１１０  縛り紐
【図１】
2019216541.tif 000003
【図２】
2019216541.tif 000004
【図３】
2019216541.tif 000005